(57)【要約】【課題】印刷装置において、省電力化をより進めることのできる技術を提供する。【解決手段】表示パネルにコピーについての操作画面が表示されていても、原稿がセットされていなければ、印刷部を休止状態に保ち（ステップＳ２０１でＮｏかつステップＳ２１８でＹｅｓ）、コピーについての操作画面が表示され、かつ原稿がセットされていれば、（ステップＳ２０３でＹｅｓ）、印刷部を起動する。【選択図】図９
2010166482.tif 000002
【特許請求の範囲】
【請求項１】
原稿を検知する原稿検知部と、
上記原稿上の画像を読み取る画像読取部と、
画像データを用紙上に印刷する印刷部と、
画面を表示する表示部と、
上記印刷部を休止状態と待機状態とで切り替える第１切替部と、
上記印刷部が休止状態にあるとき、上記表示部が複写についての操作画面を表示し、かつ上記原稿検知部が上記原稿を検知するまで、上記印刷部を休止状態に保つ第１休止維持部と、
上記印刷部が休止状態にあるとき、上記表示部が複写についての操作画面を表示し、かつ上記原稿検知部が上記原稿を検知すると、上記印刷部を待機状態に移行させる第１復帰部と、
を備える印刷装置。
【請求項２】
画像データを記憶するデータ記憶部と、
ユーザの指示を受け付ける受付部と、
上記印刷部が休止状態にあるとき、上記受付部が上記データ記憶部内の上記画像データを印刷するデータ印刷の実行指示を受け付けるまで、上記印刷部を休止状態に保つ第２休止維持部と、
上記印刷部が休止状態にあるとき、上記受付部が上記データ印刷の実行指示を受け付けると、上記印刷部を待機状態に移行させる第２復帰部と、
をさらに備える
請求項１に記載の印刷装置。
【請求項３】
上記画像読取部を休止状態と待機状態とで切り替える第２切替部と、
上記画像読取部が休止状態にあるとき、上記表示部が上記画像読取部を用いる動作についての操作画面を表示するまで、上記画像読取部を休止状態に保つ第３休止部維持部と、
上記画像読取部が休止状態にあるとき、上記表示部が上記画像読取部を用いる動作についての操作画面を表示すると、上記画像読取部を待機状態に以降させる第３復帰部と、
をさらに備える
請求項１又は２に記載の印刷装置。
【発明の詳細な説明】
【技術分野】
【０００１】
本発明は、印刷部を休止状態と待機状態とで切り替えることのできる印刷装置に関する。
【背景技術】
【０００２】
従来、節電のために、電源が投入されても部材の一部を電力が供給されない状態とするようになっているプリンタ等の装置が提案されている。このような状態は、休止状態、スリープ状態、省エネルギーモード等と称される。
【０００３】
例えば特許文献１には、操作パネル電源、スキャナ電源、プロッタ電源がそれぞれ別個に設けられた画像形成装置が記載されている。この画像形成装置では、操作パネルにハードキーとして、コピーボタン、ドキュメントボックスボタン、スキャナボタン等が設けられている。そして、コピーボタンが押下されたときにはスキャナ電源及びプロッタ電源がＯＮとされ、スキャナボタンが押下されると、スキャナ電源ＯＮ、プロッタ電源ＯＦＦとされる。
【先行技術文献】
【特許文献】
【０００４】
【特許文献１】特開２００４−２２２２３４号公報（段落［００４１］〜［００４３］、［０１１５］〜［０１２１］等）
【発明の概要】
【発明が解決しようとする課題】
【０００５】
上述したように、従来の技術では、コピーボタンが押下された時点でプロッタ電源がＯＮとされる。しかしながら、実際にコピーが実行されるのは、コピーボタンが押下された直後ではなく、時間が経った後である場合がある。つまり、プロッタ電源がＯＮとされてから、コピー実行までの間は電力を無駄に消費していることになる。
【０００６】
そこで、本発明は、各機能に対応するデバイスを、その機能を使う直前に復帰させることで、省電力化をより進めることのできる技術を提供することを目的とする。
【課題を解決するための手段】
【０００７】
上記課題を解決するために、請求項１の印刷装置は、原稿を検知する原稿検知部と、上記原稿上の画像を読み取る画像読取部と、画像データを用紙上に印刷する印刷部と、画面を表示する表示部と、上記印刷部を休止状態と待機状態とで切り替える第１切替部と、上記印刷部が休止状態にあるとき、上記表示部が複写についての操作画面を表示しており、かつ上記原稿検知部が上記原稿を検知するまで、上記印刷部を休止状態に保つ第１休止維持部と、上記印刷部が休止状態にあるとき、上記表示部が複写についての操作画面を表示し、かつ上記原稿検知部が上記原稿を検知すると、上記印刷部を待機状態に移行させる第１復帰部と、を備える。
【０００８】
この印刷装置によると、第１休止維持部及び第１復帰部によって、従来の技術よりも、複写が実行されるタイミングにより近い時点で、印刷部を待機状態に移行させることができる。よって省電力化をより進めることができる。
【０００９】
請求項２に記載するように、請求項１の印刷装置は、画像データを記憶するデータ記憶部と、ユーザの指示を受け付ける受付部と、上記印刷部が休止状態にあるとき、上記受付部が上記データ記憶部内の上記画像データを印刷するデータ印刷の実行指示を受け付けるまで、上記印刷部を休止状態に保つ第２休止維持部と、上記印刷部が休止状態にあるとき、上記受付部が上記データ印刷の実行指示を受け付けると、上記印刷部を待機状態に移行させる第２復帰部と、をさらに備えてもよい。
【００１０】
請求項３に記載するように、請求項１又は２の印刷装置は、上記画像読取部を休止状態と待機状態とで切り替える第２切替部と、上記画像読取部が休止状態にあるとき、上記表示部が上記画像読取部を用いる動作についての操作画面を表示するまで、上記画像読取部を休止状態に保つ第３休止部維持部と、上記画像読取部が休止状態にあるとき、上記表示部が上記画像読取部を用いる動作についての操作画面を表示すると、上記画像読取部を待機状態に以降させる第３復帰部と、を備えてもよい。
【発明の効果】
【００１１】
本発明の印刷装置は、第１休止維持部及び第１復帰部によって、従来の技術よりも、複写が実行されるタイミングにより近い時点で、印刷部を待機状態に移行させることができ、それまでは休止状態を保つことができる。よって省電力化をより進めることができる。
【図面の簡単な説明】
【００１２】
【図１】本発明の第１実施形態の複合機Ａの概要を示すブロック図である。
【図２】複合機Ａの操作パネル１１の概要を示す平面図である。
【図３】表示パネル１１１ａに表示される画面Ｐ１を示す図面である。
【図４】表示パネル１１１ａに表示される画面Ｐ２を示す図面である。
【図５】表示パネル１１１ａに表示される画面Ｐ３を示す図面である。
【図６】表示パネル１１１ａに表示される画面Ｐ４を示す図面である。
【図７】表示パネル１１１ａに表示される画面Ｐ５を示す図面である。
【図８】複合機Ａにおける表示パネル１１１ａ及びスキャナ１３の電源制御の流れを示すフローチャートである。
【図９】複合機Ａにおける印刷部１４の電源制御の流れを示すフローチャートである。
【発明を実施するための形態】
【００１３】
以下、図面を参照して、本発明の実施の形態について説明する。なお、本発明は以下の説明により何ら限定的に解釈されるものではない。
【００１４】
〔１〕第１実施形態
（1-1）複合機Ａ
複合機Ａの構成の概要について、図１のブロック図を参照して説明する。
【００１５】
図１に示すように、複合機Ａは、通信部１０、操作パネル１１、原稿センサ１２、スキャナ１３、印刷部１４、表示電源部１５１、スキャナ電源部１５２、印刷電源部１５３、記憶装置１９、制御装置２０等を備える。複合機Ａ内のこれらの部材は、バス等によって通信可能に接続される。
【００１６】
通信部１０は、図示しない通信回線を介して、外部装置との間でデータのやり取りを行う。通信部１０は例えば、ファクシミリの送受信を行うようになっていてもよいし、データファイルの送受信を行うようになっていてもよい。
【００１７】
操作パネル１１について、図１及び図２を参照して説明する。図２は、操作パネル１１の概要を示す平面図である。図１及び図２に示すように、タッチパネル１１１及びハードキー群１１２を備える。タッチパネル１１１は、表示パネル１１１ａ及びタッチセンサ１１１ｂ等を備える。表示パネル１１１ａは、画面を表示する表示部の一例であり、図示しない液晶パネル及びバックライト等を備える。表示パネル１１１ａには、制御装置２０の制御の下、種々の画面が表示される。これらの画面については後述する。ハードキー群１１２は、図２に示すように、ハードキー群１１２は、機能キー１１３、スタートキー１１４、テンキー１１５、主電源ボタン１１６等を備える。ハードキー群１１２には、リセットキー、ストップ／クリアキー等をさらに備える。機能キー１１３には、コピーキー１１３ａ、送信キー１１３ｂ、ボックスキー１１３ｃが含まれる。
【００１８】
図１に示す原稿センサ１２としては、光学センサ及び接触センサ等、原稿を検知するセンサが採用される。原稿センサ１２としては、図示しないプラテンガラス上の原稿を検知するセンサ、図示しない自動原稿搬送装置の原稿載置トレイ上の原稿を検知するセンサ等が含まれる。原稿センサ１２は原稿を検知する原稿検知部の一例である。
【００１９】
スキャナ１３は、原稿上の画像を読み取る画像読取部の一例である。スキャナ１３は、図示しないプラテンガラス上に載置された原稿及び自動原稿搬送装置によって搬送される原稿上の画像を読み取って、画像データを取得するようになっている。具体的には、スキャナ１３は、原稿を照明する光源、受けた光を電気信号に変換する読取素子、並びに、光源からの光を原稿へ導き、原稿からの反射光を読取素子へ導くミラー及びレンズ等の光学部材等を備える。
【００２０】
印刷部１４は、用紙上に画像を印刷するようになっている。具体的には、印刷部１４は、画像データに基づいて現像剤によって画像を現像する現像部と、現像された画像を用紙上に転写する転写部と、転写後の用紙上に画像を定着させる定着部と、図示しない用紙収容部から転写部及び定着部を経て、図示しない排紙トレイ上まで用紙を搬送する搬送部等を備える。
【００２１】
表示電源部１５１、スキャナ電源部１５２、及び印刷電源部１５３は、それぞれが、表示パネル１１１ａ、スキャナ１３、及び印刷部１４へ電力を供給する電源と、各電源を駆動する電源駆動部と、を備える。つまり、表示電源部１５１は、図示しない主電源がＯＮになっている間に、表示パネル１１１ａへの電力供給のＯＮ／ＯＦＦを切り替えることで、表示パネル１１１ａを、バックライトが消灯した休止状態と、点灯した待機状態とで切り替えることができる。スキャナ電源部１５２及び印刷電源部１５３も同様に、それぞれスキャナ１３及び印刷部１４を、休止状態と待機状態とで切り替えることができる。すなわち、印刷電源部１５３は第１切替部の、スキャナ電源部１５２は第２切替部の一例である。
【００２２】
記憶装置１９はデータ記憶部の一例であり、記憶装置１９としては、ＨＤＤ（Hard Disk Drive）等の書き換え可能な記憶装置が採用される。図１に示すように、記憶装置１９は、ボックス領域１９１を備える。ボックス領域１９１は、複数のドキュメントボックス（単に「ボックス」と称することがある）を備える。各ボックスは、所謂フォルダと同様に、複数のデータファイルを保存できるようになっている。ボックスに保存されるデータとしては、画像データが含まれる。画像データには、文字、記号、図、絵等が含まれ得る。
【００２３】
制御装置２０は、複合機Ａ内の各部の動作を制御するようになっている。具体的には、制御装置２０は、ＣＰＵ（Central Processing Unit）１６、ＲＯＭ（Read Only Memory）１７、及びＲＡＭ（Random Access Memory）１８等を備える。ＣＰＵ１６は、ＲＯＭ１７内のプログラムを読み出して実行することで、制御装置２０の各種制御機能を実現する。
【００２４】
（1-2）表示画面
表示パネル１１１ａは、制御装置２０の制御の下、種々の画面を表示するようになっている。主電源の投入時に最初に表示される画面は予め設定されており、また、機能キー１１３が押下されると、押下されたキーに対応する機能についての操作画面が表示される。これらの画面の例を図３〜図７に挙げる。
【００２５】
コピー機能の操作画面としては、図３に示すように、まず、用紙サイズ、濃度、両面／片面、拡大／縮小等の各種条件設定を受け付けるキーを含む画面Ｐ１が表示される。また、この画面Ｐ１上のキーを押下することで表示される下位の操作画面も、コピー機能の操作画面に含まれる。
【００２６】
送信機能の操作画面としては、図４に示すように、まず、宛先の入力を受け付ける欄Ｃ２１を含む画面Ｐ２が表示される。この画面Ｐ２には、詳細設定キーＫ２１が設けられ、この詳細設定キーＫ２１が押下されると、表示は、この画面送信の形式（データ送信であればファイル形式等）等を設定する詳細設定画面に切り替えられる。このような詳細設定画面も、画面Ｐ２と同様に、送信機能の操作画面に含まれる。
【００２７】
ボックスの操作画面としては、図５に示すように、各ボックスを表すソフトキーａ１〜ａ４等を含む画面Ｐ３が表示される、ユーザは、このソフトキーを押下することで、ボックスを指定することができる。画面Ｐ３内には、新規ボックスの作成指示を受け付けるソフトキーがさらに含まれていてもよい。ボックスが指定されると、表示は画面Ｐ３から図６に示す画面Ｐ４に切り替えられる。画面Ｐ４は、ファイル表示欄Ｃ４１、スキャン移行キーＫ４１、印刷移行キーＫ４２を含む。ファイル表示欄Ｃ４１は、選択されたボックス内のファイルの名称を表示する。ユーザは表示されたファイル名を押下することで、印刷対象を指定することができる（図７の画面Ｐ５）。スキャン移行キーＫ４１が押下されると、表示はスキャン条件（集約、両面／片面等）の設定画面（図示せず）に切り替えられる。また、印刷キーＫ４２が押下されると、表示は印刷条件（濃度、集約、両面／片面等）の設定画面（図示せず）に切り替えられる。画面Ｐ３〜Ｐ５、並びにこれらの画面のソフトキーを押下することで表示されるスキャンや印刷の設定画面も、ボックスの操作画面に含まれる。
【００２８】
表示画面としては他に、図示しないシステムメニュー画面が挙げられる。システムメニュー画面は、パスワードの設定、主電源投入時に最初に表示される画面の選択等、スキャンやコピー等のジョブに関わらない設定を受け付ける画面である。
【００２９】
（1-3）電源制御
（1-3-a）待機状態から休止状態への移行
まず、待機状態から復帰状態への移行について簡単に説明する。制御装置２０は、操作パネル１１がユーザからの何の操作も受けないまま所定時間が経過すると、表示電源部１５１を制御して、表示パネル１１１ａへの電力供給をＯＦＦとし、表示パネル１１１ａをバックライトが消灯した休止状態とする。また、制御装置２０は、スキャナ１３が稼動しないまま所定時間が経過すると、スキャナ電源部１５２を制御して、スキャナ１３への電力供給をＯＦＦとし、スキャナ１３を休止状態とする。また、制御装置２０は、印刷部１４が稼動しないまま所定時間が経過すると、印刷電源部１５３を制御して、印刷部１４への電力供給をＯＦＦとし、印刷部１４を休止状態とする。
【００３０】
（1-3-b）表示パネル１１及びスキャナ１３の電源制御
図８を参照して、スキャナ１３及び表示パネル１１の電源制御について説明する。図８は電源制御の流れを示すフローチャートである。
【００３１】
図８に示すように、主電源ボタン１１６が押下されると、図示しない主電源から電力供給が開始される（Ｓ１０１でＹｅｓ）。
【００３２】
制御装置２０は、電源投入時の表示画面として設定されている画面が、上述したコピー、送信、又はボックスのいずれかの機能の操作画面であれば、スキャナ電源部１５２を制御することで、スキャナ１３を起動して待機状態とする（ステップＳ１０２→Ｓ１０３）。制御装置２０は、さらに表示電源部１５１を制御して、バックライトを点灯させることで、表示パネル１１１ａを起動する（ステップＳ１０４）。
【００３３】
一方、最初に表示される画面がシステムメニュー画面である場合には、スキャナ１３を起動することなく、表示パネル１１１ａを起動する（ステップＳ１０２→Ｓ１０４）。
【００３４】
表示パネル１１１ａ起動後、操作パネル１１を介したユーザの操作に応じて、表示画面は適宜切り替えられる。そして、表示画面の切替に応じてスキャナ電源部１５２が制御される。すなわち、スキャナ１３が休止状態にあるときに、ユーザから、主電源切断以外の操作を受けて、その操作に応じて上述したコピー、送信、又はボックスのいずれかの機能の操作画面が表示されるとき、制御装置２０は、スキャナ１３を待機状態に立ち上げる（ステップＳ１０５でＹｅｓ→Ｓ１０２→Ｓ１０３）。このとき表示パネル１１１ａが休止状態であれば、表示パネル１１１ａも起動される（ステップＳ１０５でＹｅｓ→→Ｓ１０４）。
【００３５】
主電源ボタン１１６が押下されると、制御装置２０は主電源からの電力供給を切断し、一連の動作は完了する（ステップＳ１０５でＮｏ→Ｓ１０６でＹｅｓ）。
【００３６】
（1-3-c）印刷部１４の電源制御
次に、印刷部１４の電源制御について、図９を参照して説明する。図９の動作は、上述の図８のステップＳ１０４で表示パネル１１１ａが起動された後に開始される。
【００３７】
図９に示すように、主電源投入後、図示しない原稿載置トレイ又はプラテンガラス上に原稿がセットされたことを、原稿センサ１２が検知しても（ステップＳ２０１でＹｅｓ）、表示画面がシステムメニュー画面であれば（ステップＳ２０２でＹｅｓ）、印刷部１４は起動されずに、制御装置２０は、ユーザによる入力に基づいて種々の設定を行う。
【００３８】
原稿がセットされている状態であって、かつ表示画面がコピーの操作画面であれば（ステップＳ２０３でＹｅｓ）、制御装置２０は、コピー準備状態が整ったものと判断する。そして、制御装置２０は、印刷電源部１５３を制御して電力供給を開始することで、印刷部１４を起動する（ステップＳ２０４）。このとき、表示画面がコピーの操作画面なので、図８を参照して述べたように、スキャナ１３もスキャン可能な待機状態になっている。ここで、さらにスタートキー１１４が押下されると（ステップＳ２０５でＹｅｓ）、制御装置２０の制御の下、スキャナ１３により原稿がスキャンされ（ステップＳ２０６）、得られた画像データに基づいて、印刷が行われる（ステップＳ２０７）。
【００３９】
原稿がセットされている状態で、かつ表示画面が送信についての操作画面である場合では（ステップＳ２０８）、図８を参照して述べたように、スキャナ１３は待機状態になっている。そのため、スタートキー１１４が押下されると（ステップＳ２０９でＹｅｓ）、制御装置２０の制御の下、スキャナ１３による原稿のスキャンが実行され（ステップＳ２１０）、得られた画像データは通信部１０により外部装置に送信される（ステップＳ２１１）。このとき、印刷部１４は起動されず、休止状態のまま保たれる。
【００４０】
原稿がセットされている状態で、かつ表示画面がボックスについての操作画面であれば（ステップＳ２０３及びＳ２０８でＮｏ）、画面Ｐ３でボックスが指定されると共に、そのボックス内のファイルが指定されることなく（ステップＳ２１３でＮｏ）、スタートキー１１４が押下されることで（ステップＳ２１４でＹｅｓ）、制御装置２０の制御の下、スキャナ１３による原稿のスキャンが実行される（ステップＳ２１５）。得られた画像データは、指定されたボックスに保存される（ステップＳ２１６）。このとき、印刷部１４は起動されず、休止状態のまま保たれる。ボックス内のファイルが指定されると、後述のステップＳ２２０に移行する。
【００４１】
一方、原稿がセットされていない状態では、表示画面がシステムメニュー、コピー、送信についての操作画面であれば、印刷部１４は起動されない（ステップＳ２１７又はＳ２１８でＹｅｓ）。そして、原稿がセットされていない状態で、ボックスについての操作画面において、印刷対象となるデータファイルが指定され（図７の画面Ｐ５、図９のステップＳ２１９でＹｅｓ）、さらにスタートキー１１４が押下されると（ステップＳ２２０でＹｅｓ）、制御装置２０は印刷電源部１５３を制御して、印刷部１４を起動させる（ステップＳ２２１）。そして、印刷部１４により、指定されたデータファイルの印刷が実行される（ステップＳ２２２）。
【００４２】
表示画面、原稿の有無、及び操作状況に応じた各部の起動状態をまとめると、次表の通りとなる。
【００４３】
【表１】
2010166482.tif 000003
【００４４】
すなわち、制御装置２０は、表示画面がコピーについての操作画面であるとき、原稿がセットされていなければ、スキャナ１３のみを起動して、印刷部１４を休止状態に維持し、原稿がセットされれば印刷部１４も起動する。
【００４５】
また、制御装置２０は、表示画面が送信についての操作画面であるときは、原稿の有る無しにかかわらず、スキャナ１３を起動し、印刷部１４を休止状態に維持する。
【００４６】
また、制御装置２０は、表示画面がボックスについての操作画面であるとき、印刷対象が指定された上でスタートキー１１４が押下されるまでは、スキャナ１３のみを起動して印刷部１４を休止状態に維持し、印刷対象が指定された上でスタートキー１１４が押下されたことをトリガーとして、印刷部１４をさらに起動させる。
【００４７】
以上、主電源が投入されたときの各部の起動について説明したが、一定期間に渡って複合機Ａの各部が稼動しないことにより休止状態に移行した後の待機状態への起動についても、同様の処理が行われる。すなわち、主電源が投入されたとき、表示パネル１１１ａが起動した後も、スキャナ１３や印刷部１４は、それぞれ別個に休止状態に保たれ、かつ別個に起動される。そして、各部が一旦起動した後に再び休止状態に移行した場合も、各部はそれぞれ別個に起動される。その結果、高い省エネルギー効果が得られる。
【００４８】
さらに、本実施形態によれば、印刷部１４の起動のタイミングが、機能キー１１３の単なる押下があったときではなく、原稿のセット、又は印刷対象の指定及びスタートキー１１４の押下があったときに設定されている。このことにより、印刷部１４の起動のタイミングは、印刷部１４が実際に起動するタイミングにより近く設定されている。よって、省エネルギー効果がより高められる。
【００４９】
なお、原稿が一旦検知されても（ステップＳ２０１でＹｅｓ）、表示画面がコピーの操作画面に遷移することなく、原稿が取り去られた場合には、ステップＳ２０１の判断はＮｏになるので、ボックスからのデータ印刷指示がなされる場合を除いて、印刷部１４は起動されない。
【００５０】
また、上述したように、制御装置２０は、原稿の検知とコピーの操作画面の表示の両方の条件が満たされた場合、つまりコピー準備状態が整った場合に印刷部１４を起動するが、その後に原稿が取り去られた場合には、一定時間が経過するまでは印刷部１４の起動状態を維持し、一定時間経過後に印刷部１４を休止状態に移行させるようになっている。つまり、制御装置２０は、コピー準備状態が一旦整った後は、原稿セットの条件を満たさなくなっても、一定時間はコピー準備状態が継続しているものとして動作するようになっている。
【００５１】
原稿を一旦セットした後に、ユーザが原稿の向き又は順序の変更を希望することがある。複合機Ａは、コピー準備状態が継続しているものとして制御装置２０が動作することで、ユーザが所望の向き又は順序で原稿を再セットした場合に、起動状態が維持されているので、複写物をすばやく提供することができる。
【００５２】
上記「一定時間」は、複合機Ａの使用状況等に合わせて適宜設定可能であり、具体的な値に限定されるものではない。例えば、この一定時間は、上記（1-3-a）で述べた印刷部１４の休止状態への移行における「所定時間」と同一であってもよい。
【００５３】
以上の説明から明らかなように、制御装置２０は、第１〜第３休止維持部、並びに第１〜第３復帰部として機能する。
【００５４】
なお、複合機Ａがプリンタとして機能するときは、ＰＣ等の外部装置からプリントジョブの依頼を受けたときに、印刷部１４が復帰する。
【００５５】
〔３〕他の実施形態
（3-1）印刷電源部１５３
印刷電源部１５３は、休止時に、印刷部１４への電力供給を完全に停止するだけでなく、定着部のヒートローラの温度が定着に充分な程度まで上がらないように供給量を低減することで印刷部１４をスリープ状態とするようになっていてもよい。この場合、印刷部１４を起動させるときには、印刷電源部１５３は、ヒートローラの温度を定着に充分な温度まで上げることで待機状態とするようになっていればよい。
【００５６】
（3-2）指示の受付
操作パネル１１は、ユーザの指示を受け付ける受付部の一例であり、その中でも、スタートキー１１４は、ユーザから、印刷やスキャンの実行の最終指示を受け付けるようになっている。
【００５７】
ただし、表示パネル１１１ａ上のソフトキーが、印刷やスキャンの実行の指示を受けるようになっていてもよく、このようにソフトキーを介した指示の受付が、印刷部１４等の起動のトリガーとなっていてもよい。
【００５８】
（3-3）印刷の実行指示の受付
第１実施形態では、制御装置２０は第２休止維持部の一例として、ボックス内のデータの印刷の実行指示をスタートキー１１４により受け付けるまで、印刷部を休止状態に保つようになっており、スタートキー１１４が押下されるまで、第２復帰部の一例としての印刷部の起動を行わないようになっている。
【００５９】
ただし、第２復帰部の動作のトリガーは、スタートキー１１４の押下のような最終指示に限定されるものではなく、その前段階の操作、例えば印刷条件の設定の入力等であってもよい。
【００６０】
（3-4）画像読取部を用いる動作
第１実施形態では、コピー、送信、ボックスの３つの機能の全てを、スキャナ（画像読取部）１３を用いる機能としてあげている。すなわち、制御装置２０は、この３つの機能のいずれかについての操作画面が表示されれば、スキャナ１３を起動させるようになっている。
【００６１】
ただし、これ以外にも、この３つの機能のうちの１つ又は２つの機能の操作画面のみが、スキャナ１３を立ち上げるトリガーとなる画面として設定されていてもよい。例えば、制御装置２０は、コピー機能についての操作画面が表示されたときにはスキャナ１３を起動させるが、ボックス機能についての操作画面が表示されてもスキャナ１３を起動させないようになっていてもよい。
【００６２】
（3-6）複合機Ａは印刷装置の一例に過ぎず、本発明は、複写機等の各種印刷装置に適用可能である。
【００６３】
（3-7）以上、異なる実施形態を互いに組み合わせて得られる技術についても、本発明の技術的範囲に含まれる。
【符号の説明】
【００６４】
Ａ        複合機
１１      操作パネル
１１１ａ  表示パネル
１４      印刷部
１６      ＣＰＵ
１７      ＲＯＭ
１８      ＲＡＭ
２０      制御装置
【図１】
2010166482.tif 000004
【図２】
2010166482.tif 000005
【図３】
2010166482.tif 000006
【図４】
2010166482.tif 000007
【図５】
2010166482.tif 000008
【図６】
2010166482.tif 000009
【図７】
2010166482.tif 000010
【図８】
2010166482.tif 000011
【図９】
2010166482.tif 000012